(57)【要約】【課題】フィルタ部の補強部の下流側で澱みが生じて気泡排出性が低下する。【解決手段】共通液室１０と液導入部８との間には、複数のフィルタ孔９１が形成されて、液体をろ過するフィルタ部９が設けられ、フィルタ部９には、複数のフィルタ領域９Ａに区画する補強部９２が設けられ、補強部９２の一部である第２層９２ｂのオーバーハング形状部９３は、フィルタ部９に隙間９４をおいて対向し、液体の流れの方向で、フィルタ孔９１ａの一部とオーバーラップしている。【選択図】図６
2014151505.tif 000002
【特許請求の範囲】
【請求項１】
液滴を吐出する複数のノズルと、
前記ノズルが通じる複数の個別流路と、
前記複数の個別流路に通じる液導入部と、
前記複数の個別流路に液体を供給する共通液室と、を備え、
前記共通液室と前記液導入部との間には、複数のフィルタ孔が形成されて、前記液体をろ過するフィルタ部が設けられ、
前記フィルタ部には、複数のフィルタ領域に区画する補強部が設けられ、
前記補強部の一部は、液体の流れの方向で、前記フィルタ孔の一部と隙間をおいて対向している
ことを特徴とする液体吐出ヘッド。
【請求項２】
前記補強部は、少なくとも２層構造をなしていることを特徴とする請求項１に記載液体吐出ヘッド。
【請求項３】
前記補強部は、前記個別流路間の隔壁に、前記フィルタ部を形成する部材を挟んで対向する位置に設けられ、
前記補強部のノズル配列方向の幅は、前記個別流路間の隔壁のノズル配列方向の幅よりも広い
ことを特徴とする請求項１又は２に記載の液体吐出ヘッド。
【請求項４】
前記フィルタ部は、前記個別流路の壁面を形成する振動板部材に形成されている
ことを特徴とする請求項１ないし３のいずれかに記載の液体吐出ヘッド。
【請求項５】
請求項１ないし４のいずれかに記載の液体吐出ヘッドを備えていることを特徴とする画像形成装置。
【発明の詳細な説明】
【技術分野】
【０００１】
本発明は液体吐出ヘッド、画像形成装置に関する。
【背景技術】
【０００２】
プリンタ、ファクシミリ、複写装置、プロッタ、これらの複合機等の画像形成装置として、例えば液滴を吐出する液体吐出ヘッド（液滴吐出ヘッド）からなる記録ヘッドを用いた液体吐出記録方式の画像形成装置としてインクジェット記録装置などが知られている。
【０００３】
液体吐出ヘッドにおいては、液体中に異物が混入すると、滴吐出不良が発生することから流路中に液体をろ過するフィルタ部材を設けるようにしている。
【０００４】
従来、ノズルが通じる複数の個別流路がすべて通じる液導入部と共通液室との間に、複数の個別液室のノズル配列方向の全領域にわたって液体をろ過するフィルタ部を備え、フィルタ部にはノズル配列方向で２以上の液室に対応する間隔で複数の補強リブが形成され、補強リブによりフィルタ部が複数に分割され、リブに対応して液室間隔壁が設けられているものが知られている（特許文献１）。
【先行技術文献】
【特許文献】
【０００５】
【特許文献１】特開２０１１−０２５６６３号公報
【発明の概要】
【発明が解決しようとする課題】
【０００６】
上述した特許文献１に開示されている構成にあっては、補強リブに対応して設けられた隔壁のノズル配列方向の幅が補強リブのノズル配列方向の幅よりも狭く、フィルタ部の液導入部側で澱みが発生し、気泡排出性が低くなるという課題がある。
【０００７】
本発明は上記の課題に鑑みてなされたものであり、気泡排出性を向上することを目的とする。
【課題を解決するための手段】
【０００８】
上記の課題を解決するため、本発明に係る液体吐出ヘッドは、
液滴を吐出する複数のノズルと、
前記ノズルが通じる複数の個別流路と、
前記複数の個別流路に通じる液導入部と、
前記複数の個別流路に液体を供給する共通液室と、を備え、
前記共通液室と前記液導入部との間には、複数のフィルタ孔が形成されて、前記液体をろ過するフィルタ部が設けられ、
前記フィルタ部には、複数のフィルタ領域に区画する補強部が設けられ、
前記補強部の一部は、液体の流れの方向で、前記フィルタ孔の一部と隙間をおいて対向している
構成とした。
【発明の効果】
【０００９】
本発明によれば、気泡排出性を向上することができる。
【図面の簡単な説明】
【００１０】
【図１】本発明に係る液体吐出ヘッドの第１実施形態の説明に供する同ヘッドの外観斜視説明図である。
【図２】図１のＡ―Ａ線に沿うノズル配列方向と直交する方向（液室長手方向）の断面説明図である。
【図３】図１のＢ−Ｂ線に沿うノズル配列方向（液室短手方向）の断面説明図である。
【図４】本発明の第１実施形態の説明に供する振動板部材の平面説明図及び要部拡大説明図である。
【図５】同じく流路部分の平面説明図である。
【図６】図５のＣ−Ｃ線に沿う断面に相当し、図７のＤ−Ｄ線に沿う断面説明図である。
【図７】フィルタ領域の拡大説明図である。
【図８】比較例１の図５のＣ−Ｃ線に沿う断面に相当し、図９のＥ−ＥＤ線に沿う断面説明図である。
【図９】同じくフィルタ領域の拡大説明図である。
【図１０】比較例と実施形態における流速の違いの説明に供する説明図である。
【図１１】本発明の第２実施形態の説明に供する図６と同様な断面説明図である。
【図１２】本発明に係る画像形成装置の一例の説明に供する機構部の側面説明図である。
【図１３】同機構部の要部平面説明図である。
【発明を実施するための形態】
【００１１】
以下、本発明の実施形態について添付図面を参照して説明する。本発明の第１実施形態に係る液体吐出ヘッドについて図１ないし図４を参照して説明する。図１は同ヘッドの外観斜視説明図、図２は図１のＡ―Ａ線に沿うノズル配列方向と直交する方向（液室長手方向）の断面説明図、図３は図１のＢ−Ｂ線に沿うノズル配列方向（液室短手方向）の断面説明図である。
【００１２】
この液体吐出ヘッドは、ノズル板１と、流路板（液室基板）２と、薄膜部材としての振動板部材３とを積層接合している。そして、振動板部材３を変位させる圧電アクチュエータ１１と、共通流路部材としてフレーム部材２０とを備えている。
【００１３】
ノズル板１、流路板２及び振動板部材３によって、液滴を吐出する複数のノズル４に連なって通じる個別液室（加圧液室、圧力室、加圧室、流路などとも称される。）６、個別液室６に液体を供給する流体抵抗部を兼ねた液体供給路７と、液体供給路７に連なる液導入部８とを形成している。ここでは、個別液室６と流体抵抗部を含む液体供給路７で個別流路５を構成しているが、流体抵抗部を持たないで、液導入部８からそのまま個別液室６に通じるときには、個別液室６が個別流路となる。
【００１４】
そして、フレーム部材２０の共通流路としての共通液室１０から振動板部材３に形成したフィルタ部９を通じて、液導入部８、液体供給路７を経て複数の個別液室６に液体を供給する。
【００１５】
ここで、ノズル板１は、ニッケル（Ｎｉ）の金属プレートから形成したもので、エレクトロフォーミング法（電鋳）で製造したものを用いている。これに限らず、その他の金属部材、樹脂部材、樹脂層と金属層の積層部材などを用いることができる。ノズル板１には、各液室６に対応して例えば直径１０〜３５μｍのノズル４を形成し、流路板２と接着剤接合している。また、このノズル板１の液滴吐出側面（吐出方向の表面：吐出面、又は液室６側と反対の面）には撥水層を設けている。
【００１６】
流路板２は、単結晶シリコン基板をエッチングして、個別液室６、液体供給路７、液導入部８などを構成する溝部を形成している。なお、流路板２は、例えばＳＵＳ基板などの金属板を酸性エッチング液でエッチングし、あるいはプレスなどの機械加工を行って形成することもできる。
【００１７】
振動板部材３は、流路板２の個別液室６の壁面を形成する壁面部材を兼ね、個別液室６に対応する部分に変形可能な振動領域３０を有している。この振動板部材３も、ニッケル（Ｎｉ）の金属プレートから形成したもので、エレクトロフォーミング法（電鋳）で製造したものを用いている。これに限らず、その他の金属部材、樹脂部材、樹脂層と金属層の積層部材などを用いることができる。
【００１８】
そして、この振動板部材３の個別液室６とは反対側に、振動板部材３の振動領域３０を変形させる駆動手段（アクチュエータ手段、圧力発生手段）としての電気機械変換素子を含む圧電アクチュエータ１１を配置している。
【００１９】
この圧電アクチュエータ１１は、ベース部材１３上に接着剤接合した複数の積層型圧電部材１２を有し、圧電部材１２にはハーフカットダイシングによって溝加工して１つの圧電部材１２に対して所要数の圧電柱１２Ａ、１２Ｂを所定の間隔で櫛歯状に形成している。
【００２０】
圧電部材１２の圧電柱１２Ａ、１２Ｂは、同じものであるが、駆動波形を与えて駆動させる圧電柱を駆動圧電柱（駆動柱）１２Ａ、駆動波形を与えないで単なる支柱として使用する圧電柱を非駆動圧電柱（非駆動柱）１２Ｂとして区別している。
【００２１】
そして、駆動柱１２Ａを振動板部材３の振動領域３０に形成した島状の凸部３０ａに接合している。また、非駆動柱１２Ｂを振動板部材３の凸部３０ｂに接合している。
【００２２】
この圧電部材１２は、圧電層と内部電極とを交互に積層したものであり、内部電極がそれぞれ端面に引き出されて外部電極が設けられ、駆動柱１２Ａの外部電極に駆動信号を与えるための可撓性を有するフレキシブル配線基板としてのＦＰＣ１５が接続されている。
【００２３】
フレーム部材２０は、例えばエポキシ系樹脂或いは熱可塑性樹脂であるポリフェニレンサルファイト等で射出成形により形成し、図示しないヘッドタンクや液体カートリッジから液体が供給される共通液室１０が形成されている。
【００２４】
このように構成した液体吐出ヘッドにおいては、例えば駆動柱１２Ａに印加する電圧を基準電位から下げることによって駆動柱１２Ａが収縮し、振動板部材３の振動領域３０が下降して個別液室６の容積が膨張することで、個別液室６内に液体が流入する。
【００２５】
その後、駆動柱１２Ａに印加する電圧を上げて駆動柱１２Ａを積層方向に伸長させ、振動板部材３の振動領域３０をノズル４方向に変形させて個別液室６の容積を収縮させることにより、個別液室６内の液体が加圧され、ノズル４から液滴が吐出（噴射）される。
【００２６】
そして、駆動柱１２Ａに印加する電圧を基準電位に戻すことによって振動板部材３の振動領域３０が初期位置に復元し、個別液室６が膨張して負圧が発生するので、このとき、共通液室１０から液体供給路７を通じて個別液室６内に液体が充填される。そこで、ノズル４のメニスカス面の振動が減衰して安定した後、次の液滴吐出のための動作に移行する。
【００２７】
なお、このヘッドの駆動方法については上記の例（引き−押し打ち）に限るものではなく、駆動波形の与えた方によって引き打ちや押し打ちなどを行なうこともできる。
【００２８】
次に、本発明の第１実施形態について図４ないし図７を参照して説明する。図４は同実施形態の説明に供する振動板部材の平面説明図及び要部拡大説明図、図５は同じく流路部分の平面説明図、図６は図５のＣ−Ｃ線に沿う断面に相当し、図７のＤ−Ｄ線に沿う断面説明図、図７はフィルタ領域の拡大説明図である。
【００２９】
まず、振動板部材３には、図４に示すように、共通液室１０と液導入部８との間に、液体をろ過するフィルタ部９が設けられ、フィルタ部９には液体を通過する多数のフィルタ孔９１が形成されている。
【００３０】
ここで、図５に示すように、液導入部８側は、個別流路５間の隔壁５１を延長して、各個別流路５毎の液導入部８に分割している。ただし、１つの液導入部８が２以上の個別流路５に通じるように分割することもできるし、あるいは、１つの液導入部８がすべての個別流路５に通じるようにすることもできる。
【００３１】
一方、図６に示すように、フィルタ部９側も、液導入部８側の隔壁５１に対向して補強領域となる補強部９２を設けて、各個別流路５毎のフィルタ領域９Ａに分割している。なお、補強部９２を２以上の個別流路５毎に設けて、フィルタ部９を複数のフィルタ領域９Ａに分割し、１つのフィルタ領域９Ａが２以上の個別流路５に対応するように分割してもよい。
【００３２】
この補強部９２のノズル配列方向の幅は、個別流路５間の隔壁５１のノズル配列方向の幅よりも広くしている。
【００３３】
また、フィルタ部９を形成する振動板部材３は、前述したようにＮｉ電鋳で形成した三層構造のものを使用している。そして、図６に示すように、フィルタ部９は、振動板部材３の第１層と同じ第１層９３ａで形成している。また、補強部９２は、振動板部材３の第２層、第３層である第２層９３ｂ、第３層９３ｃとで形成した２層構造としている。
【００３４】
フィルタ部９に補強部９２を設ける理由は次のとおりである。すなわち、フィルタ部９は、本実施形態では１層の薄層形状であるため、フィルタ部９を個別流路５が配列されている領域に亘って形成すると、フィルタ部９の剛性が低下して破損しやすくなる。そこで、ノズル配列方向において、一定間隔で、複数層構造からなる補強部９２を形成して、フィルタ部９を区画することで、フィルタ部９の強度を補強している。さらに、補強部９２があることにより、流路板２との接合時に十分に振動板部材３を加圧することができるため、接合強度が増すという利点もある。
【００３５】
この場合、補強部９２を構成している第２層９３ｂ、第３層９３ｃのフィルタ領域９Ａ側には、電鋳によってオーバーハング形状をなす部分（以下「オーバーハング形状部」という。）９３ｄが生じる。
【００３６】
そして、補強部９２の一部である第２層９３ｂは、フィルタ部９（第１層９３ａ）に隙間９４をおいて対向し、オーバーハング部９３ｄは、液体の流れの方向（図６の矢印Ｆ方向）で、フィルタ孔９１の一部と隙間をおいて対向（以下、「オーバーラップ」という。
している。
【００３７】
つまり、フィルタ部９の補強部９２を構成する第２層９３ｂを、フィルタ領域９Ａに突き出すように形成している。
【００３８】
これにより、フィルタ領域９Ａは、図７に示すように、液体の流れの方向で見て、フィルタ孔９１の一部のフィルタ孔９１ａは他のフィルタ孔９１よりも液体の流れの方向からの投影面積が小さくなる。
【００３９】
言い換えれば、本実施形態では、フィルタ孔９１を個別流路５の隔壁５１の近くまで形成している。
【００４０】
つまり、フィルタ孔９１を形成している電鋳層の第１層９３ａは厚さ約３μｍで形成されているが、これを補強し、フィルタ部９をフィルタ領域９Ａに区画するために厚みを設けた第２層９３ｂ、第３層９３ｃが存在している。
【００４１】
そして、この第２層９３ｂ、第３層９３ｃによる領域よりもフィルタ孔９１を形成する領域を広く確保するために、第２層９３ｂよりもフィルタ孔９１が隔壁５１のより近くに配置されている。
【００４２】
このような構造にすることで、フィルタ配置領域が拡大し、淀み点が減少することから、吸引・加圧をおこなったときに、フィルタ部９の下流側でインクの流れが生じ、容易に気泡排出を行うことができる。
【００４３】
ここで、比較例１について図８及び図９を参照して説明する。図８は同比較例１の図５のＣ−Ｃ線に沿う断面に相当し、図９のＥ−ＥＤ線に沿う断面説明図、図９は同じくフィルタ領域の拡大説明図である。
【００４４】
この比較例１では、液体の流れの方向で、補強部９２を構成する第２層９２ｂなどとオーバーラップする位置にはフィルタ孔９１を形成しない構成としている。
【００４５】
この比較例１の構成にあっては、図１０（ａ）に示すように、フィルタ孔９１を通過した直後の流速は、いずれのフィルタ孔９１を通過した場合でもほぼ同じになる。なお、図１０では、流れを矢印で示し、矢印の長さで流速の大きさを示し、矢印の長さが長いほど流速も大きいことを表している。
【００４６】
そのため、補強部９２よりも液導入部８側の隔壁５１の幅が狭いと、液導入部８側で淀み点が発生し、気泡が滞留する可能性がある。
【００４７】
これに対して、本実施形態では、図１０（ｂ）に示すように、補強部９２を構成する第２層９３ｂなどとオーバーラップする位置にあるフィルタ孔９１ａは、液体の流れ方向で、他のフィルタ孔９１よりも投影面積が小さくなり、他のフィルタ孔９１よりも流速が僅かに増加する。
【００４８】
つまり、補強部９２よりも液導入部８側の隔壁５１の幅が狭い場合、補強部９２のフィルタ部９に突き出た領域の下流側では流速が小さくなり気泡が滞留してしまう。しかし、本実施形態のように、フィルタ部９における隔壁５１側に位置するフィルタ孔９２ａの一部を、フィルタ部９に突き出た補強部９２にオーバーラップさせることで、フィルタ孔９２ａの投影面積を小さくし、この領域の流速を増加させている。
【００４９】
それによって、補強部９２よりも液導入部８側の隔壁５１の幅が狭い場合であっても、液導入部８側で淀み点が発生せず、速い流速によって気泡が排出されて、気泡が滞留することが防止される。
【００５０】
次に、本発明の第２実施形態について図１１を参照して説明する。図１１は同実施形態の説明に供する図６と同様な断面説明図である。
【００５１】
本実施形態では、前記第１実施形態における補強部９２を構成する第３層９３ｃのノズル配列方向の幅を第２層９３ｂと同じにしたものである。
【００５２】
このような構成でも、前記第１実施形態と同様の作用効果を得ることができる。
【００５３】
次に、本発明に係る液体吐出ヘッドを備える本発明に係る画像形成装置の一例について図１２及び図１３を参照して説明する。図１２は同装置の機構部の側面説明図、図１３は同機構部の要部平面説明図である。
【００５４】
この画像形成装置はシリアル型画像形成装置であり、左右の側板２２１Ａ、２２１Ｂに横架したガイド部材である主従のガイドロッド２３１、２３２でキャリッジ２３３を主走査方向に摺動自在に保持している。そして、図示しない主走査モータによってタイミングベルトを介して矢示方向（キャリッジ主走査方向）に移動走査する。
【００５５】
このキャリッジ２３３には、イエロー（Ｙ）、シアン（Ｃ）、マゼンタ（Ｍ）、ブラック（Ｋ）の各色のインク滴を吐出するための本発明に係る液体吐出ヘッドと同ヘッドに供給するインクを収容するタンクを一体化した記録ヘッド２３４を搭載している。記録ヘッド２３４は、複数のノズルからなるノズル列を主走査方向と直交する副走査方向に配列し、インク滴吐出方向を下方に向けて装着している。
【００５６】
記録ヘッド２３４は、それぞれ２つのノズル列を有する。そして、一方の記録ヘッド２３４ａの一方のノズル列はブラック（Ｋ）の液滴を、他方のノズル列はシアン（Ｃ）の液滴を吐出する。また、他方の記録ヘッド２３４ｂの一方のノズル列はマゼンタ（Ｍ）の液滴を、他方のノズル列はイエロー（Ｙ）の液滴を吐出する。なお、ここでは２ヘッド構成で４色の液滴を吐出する構成としているが、１ヘッド当たり４ノズル列配置とし、１個のヘッドで４色の各色を吐出させることもできる。
【００５７】
また、記録ヘッド２３４のタンク２３５には各色の供給チューブ２３６を介して、供給ユニットによって各色のインクカートリッジ２１０から各色のインクが補充供給される。
【００５８】
一方、給紙トレイ２０２の用紙積載部（圧板）２４１上に積載した用紙２４２を給紙するための給紙部として、用紙積載部２４１から用紙２４２を１枚ずつ分離給送する半月コロ（給紙コロ）２４３及び給紙コロ２４３に対向する分離パッド２４４を備えている。
【００５９】
そして、この給紙部から給紙された用紙２４２を記録ヘッド２３４の下方側に送り込むために、用紙２４２を案内するガイド２４５と、カウンタローラ２４６と、搬送ガイド部材２４７と、先端加圧コロ２４９を有する押さえ部材２４８とを備えている。さらに、給送された用紙２４２を静電吸着して記録ヘッド２３４に対向する位置で搬送するための搬送手段である搬送ベルト２５１を備えている。
【００６０】
この搬送ベルト２５１は、無端状ベルトであり、搬送ローラ２５２とテンションローラ２５３との間に掛け渡されて、ベルト搬送方向（副走査方向）に周回するように構成している。また、この搬送ベルト２５１の表面を帯電させるための帯電手段である帯電ローラ２５６を備えている。この帯電ローラ２５６は、搬送ベルト２５１の表層に接触し、搬送ベルト２５１の回動に従動して回転するように配置されている。この搬送ベルト２５１は、図示しない副走査モータによってタイミングを介して搬送ローラ２５２が回転駆動されることによってベルト搬送方向に周回移動する。
【００６１】
さらに、記録ヘッド２３４で記録された用紙２４２を排紙するための排紙部として、搬送ベルト２５１から用紙２４２を分離するための分離爪２６１と、排紙ローラ２６２及び排紙コロ２６３とを備え、排紙ローラ２６２の下方に排紙トレイ２０３を備えている。
【００６２】
また、装置本体の背面部には両面ユニット２７１が着脱自在に装着されている。この両面ユニット２７１は搬送ベルト２５１の逆方向回転で戻される用紙２４２を取り込んで反転させて再度カウンタローラ２４６と搬送ベルト２５１との間に給紙する。また、この両面ユニット２７１の上面は手差しトレイ２７２としている。
【００６３】
さらに、キャリッジ２３３の走査方向一方側の非印字領域には、記録ヘッド２３４のノズルの状態を維持し、回復するための維持回復機構２８１を配置している。
【００６４】
この維持回復機構２８１には、記録ヘッド２３４の各ノズル面をキャピングするための各キャップ部材（以下「キャップ」という。）２８２ａ、２８２ｂ（区別しないときは「キャップ２８２」という。）を備えている。また、維持回復機構２８１は、ノズル面をワイピングするためのブレード部材であるワイパーブレード２８３を備えている。また、維持回復機構は２８１は、増粘した記録液を排出するために記録に寄与しない液滴を吐出させる空吐出を行うときの液滴を受ける空吐出受け２８４などを備えている。
【００６５】
また、キャリッジ２３３の走査方向他方側の非印字領域には、記録中などに増粘した記録液を排出するために記録に寄与しない液滴を吐出させる空吐出を行うときの液滴を受ける空吐出受け２８８を配置している。この空吐出受け２８８には記録ヘッド２３４のノズル列方向に沿った開口部２８９などを備えている。
【００６６】
このように構成したこの画像形成装置においては、給紙トレイ２０２から用紙２４２が１枚ずつ分離給紙され、略鉛直上方に給紙された用紙２４２はガイド２４５で案内され、搬送ベルト２５１とカウンタローラ２４６との間に挟まれて搬送される。更に、用紙２４２は、先端を搬送ガイド２３７で案内されて先端加圧コロ２４９で搬送ベルト２５１に押し付けられ、略９０°搬送方向を転換される。
【００６７】
そして、帯電した搬送ベルト２５１上に用紙２４２が給送されると、用紙２４２が搬送ベルト２５１に吸着され、搬送ベルト２５１の周回移動によって用紙２４２が副走査方向に搬送される。
【００６８】
そこで、キャリッジ２３３を移動させながら画像信号に応じて記録ヘッド２３４を駆動することにより、停止している用紙２４２にインク滴を吐出して１行分を記録し、用紙２４２を所定量搬送後、次の行の記録を行う。記録終了信号又は用紙２４２の後端が記録領域に到達した信号を受けることにより、記録動作を終了して、用紙２４２を排紙トレイ２０３に排紙する。
【００６９】
このように、この画像形成装置では、本発明に係る液体吐出ヘッドを記録ヘッドとして備えるので、高画質画像を安定して形成することができる。
【００７０】
なお、本願において、「用紙」とは材質を紙に限定するものではなく、ＯＨＰ、布、ガラス、基板などを含み、インク滴、その他の液体などが付着可能なものの意味であり、被記録媒体、記録媒体、記録紙、記録用紙などと称されるものを含む。また、画像形成、記録、印字、印写、印刷はいずれも同義語とする。
【００７１】
また、「画像形成装置」は、紙、糸、繊維、布帛、皮革、金属、プラスチック、ガラス、木材、セラミックス等の媒体に液体を吐出して画像形成を行う装置を意味し、また、「画像形成」とは、文字や図形等の意味を持つ画像を媒体に対して付与することだけでなく、パターン等の意味を持たない画像を媒体に付与すること（単に液滴を媒体に着弾させること）をも意味する。
【００７２】
また、「インク」とは、特に限定しない限り、インクと称されるものに限らず、記録液、定着処理液、液体などと称されるものなど、画像形成を行うことができるすべての液体の総称として用い、例えば、ＤＮＡ試料、レジスト、パターン材料、樹脂なども含まれる。
【００７３】
また、「画像」とは平面的なものに限らず、立体的に形成されたものに付与された画像、また立体自体を三次元的に造形して形成された像も含まれる。
【００７４】
また、画像形成装置には、特に限定しない限り、シリアル型画像形成装置及びライン型画像形成装置のいずれも含まれる。
【符号の説明】
【００７５】
１  ノズル板
２  流路板
３  振動板部材
４  ノズル
５  個別流路
６  個別液室
８  液導入部
９  フィルタ部
９Ａ  フィルタ領域
１０  共通液室
１２  圧電部材
２０  フレーム部材
５１  個別流路間の隔壁
９１  フィルタ孔
９２  補強部
２３３  キャリッジ
２３４ａ、２３４ｂ  記録ヘッド
【図１】
2014151505.tif 000003
【図２】
2014151505.tif 000004
【図３】
2014151505.tif 000005
【図４】
2014151505.tif 000006
【図５】
2014151505.tif 000007
【図６】
2014151505.tif 000008
【図７】
2014151505.tif 000009
【図８】
2014151505.tif 000010
【図９】
2014151505.tif 000011
【図１０】
2014151505.tif 000012
【図１１】
2014151505.tif 000013
【図１２】
2014151505.tif 000014
【図１３】
2014151505.tif 000015